(57)【要約】【課題】様々なシーンに合わせて絞りやシャッタスピードなどの撮影条件を誰もが簡単に設定して撮影を行うことのできる撮像装置を提供する。【解決手段】各シーン毎にそのシーンのサンプル画像および撮影条件の設定値をメモリに記憶しておく。撮影に際し、撮影条件として設定可能な数値範囲を特定の表示形態（二次元座標軸）で表した設定画面５１を表示すると共に、その設定画面５１中の前記メモリに記憶された各シーンの設定値に対応した位置にサンプル画像を表示する。この設定画面上の任意の位置が指定されたときに、その指定位置に基づいて撮影条件を設定する。【選択図】      図３
2005229209.tif 000002
【特許請求の範囲】
【請求項１】
各シーン毎にそのシーンのサンプル画像および撮影条件の設定値を記憶する記憶手段と、
撮影条件として設定可能な数値範囲を特定の表示形態で表した設定画面を表示すると共に、前記設定画面の中の前記記憶手段に記憶された各シーンの設定値に対応した位置にサンプル画像を表示する表示手段と、
この表示手段に表示された設定画面上の任意の位置を指定する位置指定手段と、
この位置指定手段によって指定された位置に基づいて撮影条件を設定する撮影条件設定手段と
を具備したことを特徴とする撮像装置。
【請求項２】
前記撮影条件として少なくとも２つの設定項目を有し、
前記表示手段は、各設定項目毎の数値範囲を多次元の座標軸上で表した設定画面を表示することを特徴とする請求項１記載の撮像装置。
【請求項３】
前記位置指定手段による指定位置の操作に連動させて、その指定位置に対応した撮影条件で撮影した場合のプレビュー画像を前記設定画面上に表示する表示制御手段をさらに具備したことを特徴とする請求項１記載の撮像装置。
【請求項４】
前記表示制御手段は、前記プレビュー画像を前記設定画面上に設けられた特定のエリアに拡大して表示することを特徴とする請求項３記載の撮像装置。
【請求項５】
各シーン毎にそのシーンのサンプル画像および撮影条件の設定値を記憶する記憶手段と、
撮影条件として設定可能な数値範囲を特定の表示形態で表した設定画面を表示する表示手段と、
この表示手段に表示された設定画面上の任意の位置を指定する位置指定手段と、
この位置指定手段によって指定された位置に対応した撮影条件の設定値を有するサンプル画像を前記記憶手段から読み出して前記設定画面上に表示する表示制御手段と、
前記設定画面上の前記指定位置に基づいて撮影条件を設定する撮影条件設定手段と
を具備したことを特徴とする撮像装置。
【請求項６】
前記撮影条件として少なくとも２つの設定項目を有し、
前記表示手段は、各設定項目毎の数値範囲を多次元の座標軸上で表した設定画面を表示することを特徴とする請求項５記載の撮像装置。
【請求項７】
前記表示制御手段は、前記サンプル画像を前記設定画面上に設けられた特定のエリアに拡大して表示することを特徴とする請求項５記載の撮像装置。
【請求項８】
前記表示制御手段は、前記位置指定手段による指定位置の操作に連動させて、その指定位置に対応した撮影条件で撮影した場合のプレビュー画像を前記設定画面上に表示することを特徴とする請求項５記載の撮像装置。
【請求項９】
前記表示制御手段は、前記プレビュー画像を前記設定画面上に設けられた特定のエリアに拡大して表示することを特徴とする請求項８記載の撮像装置。
【請求項１０】
各シーン毎にそのシーンのサンプル画像および撮影条件の設定値を記憶したメモリを有する撮像装置に用いられる撮影条件設定方法であって、
撮影条件として設定可能な数値範囲を特定の表示形態で表した設定画面を表示すると共に、前記設定画面の中の前記メモリに記憶された各シーンの設定値に対応した位置にサンプル画像を表示するステップと、
前記設定画面上の任意の位置を指定するステップと、
前記指定された位置に基づいて撮影条件を設定するステップと
を備えたことを特徴とする撮影条件設定方法。
【請求項１１】
各シーン毎にそのシーンのサンプル画像および撮影条件の設定値を記憶したメモリを有する撮像装置に用いられる撮影条件設定方法であって、
撮影条件として設定可能な数値範囲を特定の表示形態で表した設定画面を表示するステップと、
前記設定画面上の任意の位置を指定するステップと、
前記指定された位置に対応した撮影条件の設定値を有するサンプル画像を前記メモリから読み出して前記設定画面上に表示するステップと、
前記設定画面上の前記指定位置に基づいて撮影条件を設定するステップと
を備えたことを特徴とする撮影条件設定方法。
【請求項１２】
各シーン毎にそのシーンのサンプル画像および撮影条件の設定値を記憶したメモリを有する撮像装置に搭載されたコンピュータによって実行される撮影条件設定用のプログラムであって、
前記コンピュータに、
撮影条件として設定可能な数値範囲を特定の表示形態で表した設定画面を表示すると共に、前記設定画面の中の前記メモリに記憶された各シーンの設定値に対応した位置にサンプル画像を表示する機能と、
前記設定画面上の任意の位置を指定する機能と、
前記指定された位置に基づいて撮影条件を設定する機能と
を実現させることを特徴とするプログラム。
【請求項１３】
各シーン毎にそのシーンのサンプル画像および撮影条件の設定値を記憶したメモリを有する撮像装置に搭載されたコンピュータによって実行される撮影条件設定用のプログラムであって、
前記コンピュータに、
撮影条件として設定可能な数値範囲を特定の表示形態で表した設定画面を表示する機能と、
前記設定画面上の任意の位置を指定する機能と、
前記指定された位置に対応した撮影条件の設定値を有するサンプル画像を前記メモリから読み出して前記設定画面上に表示する機能と、
前記設定画面上の前記指定位置に基づいて撮影条件を設定する機能と
を実現させることを特徴とするプログラム。
【発明の詳細な説明】
【技術分野】
【０００１】
本発明は、例えばデシタルカメラ（電子スチルカメラ）等の撮像装置に係り、特に撮影シーンに合わせて絞りやシャッタスピードなどの撮影条件をマニュアル設定する場合に用いて好適な撮像装置と、この撮像装置に用いられる撮影条件設定方法及びプログラムに関する。
【背景技術】
【０００２】
例えば、デシタルカメラ等の撮像装置では、絞りやシャッタスピードなどの撮影条件をユーザが手動操作にて任意に設定することができ、その設定された撮影条件にて撮影を行うことができる。
【０００３】
従来、このような撮影に関わる各種設定項目を設定する方法として、例えば画面上にスライドバーを表示し、ジョグダイヤルを回転および押下操作することにより、そのスライドバー上で各種設定項目に対する設定値を調整する方法が知られている（特許文献１参照）。
【特許文献１】特開２００１−７５７１２号公報
【発明の開示】
【発明が解決しようとする課題】
【０００４】
上述したように、従来、撮影に関わる各種設定項目を設定する方法として、スライドバーなどを用いて具体的な数値を入力する方法が知られている。しかしながら、撮影シーンに合わせて絞りやシャッタスピードなどの数値を的確に入力することは、撮影に関する専門的な知識を持たないユーザにとっては非常に難しく、誰もが簡単に設定できるものではない。
【０００５】
そこで、本発明は、様々なシーンに合わせて絞りやシャッタスピードなどの撮影条件を誰もが簡単に設定して撮影を行うことのできる撮像装置、撮影条件設定方法及びプログラムを提供することを目的とする。
【課題を解決するための手段】
【０００６】
本発明の撮像装置は、各シーン毎にそのシーンのサンプル画像および撮影条件の設定値を記憶する記憶手段と、撮影条件として設定可能な数値範囲を特定の表示形態で表した設定画面を表示すると共に、前記設定画面の中の前記記憶手段に記憶された各シーンの設定値に対応した位置にサンプル画像を表示する表示手段と、この表示手段に表示された設定画面上の任意の位置を指定する位置指定手段と、この位置指定手段によって指定された位置に基づいて撮影条件を設定する撮影条件設定手段とを具備したことを特徴とする。
【０００７】
このような構成によれば、撮影条件を設定するための設定画面上において、予め用意された各シーンの撮影条件の設定値に対応した位置にサンプル画像が表示される。したがって、これらのサンプル画像を参考にして意図する撮影条件を簡単に設定することができる。
【０００８】
また、本発明は、前記構成の撮像装置において、前記撮影条件として少なくとも２つの設定項目を有し、前記表示手段は、各設定項目毎の数値範囲を多次元の座標軸上で表した設定画面を表示することを特徴とする。
【０００９】
このような構成によれば、例えば絞りとシャッタスピードといったように、少なくとも２つの設定項目の数値範囲が多次元の座標軸上に表示される。これにより、複数の設定項目を同一画面上で設定することができる。
【００１０】
また、本発明は、前記構成の撮像装置において、前記位置指定手段による指定位置の操作に連動させて、その指定位置に対応した撮影条件で撮影した場合のプレビュー画像を前記設定画面上に表示する表示制御手段をさらに具備したことを特徴とする。
【００１１】
このような構成によれば、設定画面上で任意の位置を指定すると、その指定位置に対応した撮影条件で撮影した場合のプレビュー画像が表示されるので、現在の設定内容でどのように撮影されるのかを事前に確認することができる。
【００１２】
また、本発明は、前記構成の撮像装置において、前記表示制御手段は、前記プレビュー画像を前記設定画面上に設けられた特定のエリアに拡大して表示することを特徴とする。
【００１３】
このような構成によれば、設定画面上で任意の位置を指定すると、その指定位置に対応した撮影条件で撮影した場合のプレビュー画像が特定のエリアに拡大表示されるので、現在の設定内容でどのように撮影されるのかを撮影条件の設定エリアとは別のエリアにて事前に確認することができる。
【００１４】
本発明の別の観点における撮像装置は、各シーン毎にそのシーンのサンプル画像および撮影条件の設定値を記憶する記憶手段と、撮影条件として設定可能な数値範囲を特定の表示形態で表した設定画面を表示する表示手段と、この表示手段に表示された設定画面上の任意の位置を指定する位置指定手段と、この位置指定手段によって指定された位置に対応した撮影条件の設定値を有するサンプル画像を前記記憶手段から読み出して前記設定画面上に表示する表示制御手段と、前記設定画面上の前記指定位置に基づいて撮影条件を設定する撮影条件設定手段とを具備したことを特徴とする。
【００１５】
このような構成によれば、撮影条件を設定するための設定画面上で任意の位置を指定した際に、その指定された位置に対応した撮影条件の設定値を有するサンプル画像が表示されるので、このサンプル画像を参考にして意図する撮影条件を簡単に設定することができる。
【００１６】
また、本発明は、前記構成の撮像装置において、前記撮影条件として少なくとも２つの設定項目を有し、前記表示手段は、各設定項目毎の数値範囲を多次元の座標軸上で表した設定画面を表示することを特徴とする。
【００１７】
このような構成によれば、例えば絞りとシャッタスピードといったように、少なくとも２つの設定項目の数値範囲が多次元の座標軸上に表示される。これにより、複数の設定項目を同一画面上で設定することができる。
【００１８】
また、本発明は、前記構成の撮像装置において、前記表示制御手段は、前記サンプル画像を前記設定画面上に設けられた特定のエリアに拡大して表示することを特徴とする。
【００１９】
このような構成によれば、設定画面上で任意の位置を指定すると、その指定位置に対応したサンプルを撮影条件の設定エリアとは別のエリアにて拡大した状態で確認することができる。
【００２０】
また、本発明は、前記構成の撮像装置において、前記表示制御手段は、前記位置指定手段による指定位置の操作に連動させて、その指定位置に対応した撮影条件で撮影した場合のプレビュー画像を前記設定画面上に表示することを特徴とする。
【００２１】
このような構成によれば、設定画面上で任意の位置を指定すると、その指定位置に対応した撮影条件で撮影した場合のプレビュー画像が表示されるので、現在の設定内容でどのように撮影されるのかを事前に確認することができる。
【００２２】
また、本発明は、前記構成の撮像装置において、前記表示制御手段は、前記プレビュー画像を前記設定画面上に設けられた特定のエリアに拡大して表示することを特徴とする。
【００２３】
このような構成によれば、設定画面上で任意の位置を指定すると、その指定位置に対応した撮影条件で撮影した場合のプレビュー画像が特定のエリアに拡大表示されるので、現在の設定内容でどのように撮影されるのかを撮影条件の設定エリアとは別のエリアにて事前に確認することができる。
【００２４】
さらに、本発明の撮影条件設定方法は、各シーン毎にそのシーンのサンプル画像および撮影条件の設定値を記憶したメモリを有する撮像装置に用いられる撮影条件設定方法であって、撮影条件として設定可能な数値範囲を特定の表示形態で表した設定画面を表示すると共に、前記設定画面の中の前記メモリに記憶された各シーンの設定値に対応した位置にサンプル画像を表示するステップと、前記設定画面上の任意の位置を指定するステップと、前記指定された位置に基づいて撮影条件を設定するステップとを備えたことを特徴とする。
【００２５】
本発明の別の観点における撮影条件設定方法は、シーン毎にそのシーンのサンプル画像および撮影条件の設定値を記憶したメモリを有する撮像装置に用いられる撮影条件設定方法であって、撮影条件として設定可能な数値範囲を特定の表示形態で表した設定画面を表示するステップと、前記設定画面上の任意の位置を指定するステップと、前記指定された位置に対応した撮影条件の設定値を有するサンプル画像を前記メモリから読み出して前記設定画面上に表示するステップと、前記設定画面上の前記指定位置に基づいて撮影条件を設定するステップとを備えたことを特徴とする。
【００２６】
さらに、本発明のプログラムは、各シーン毎にそのシーンのサンプル画像および撮影条件の設定値を記憶したメモリを有する撮像装置に搭載されたコンピュータによって実行される撮影条件設定用のプログラムであって、前記コンピュータに、撮影条件として設定可能な数値範囲を特定の表示形態で表した設定画面を表示すると共に、前記設定画面の中の前記メモリに記憶された各シーンの設定値に対応した位置にサンプル画像を表示する機能と、前記設定画面上の任意の位置を指定する機能と、前記指定された位置に基づいて撮影条件を設定する機能とを実現させることを特徴とする。
【００２７】
本発明の別の観点におけるプログラムは、各シーン毎にそのシーンのサンプル画像および撮影条件の設定値を記憶したメモリを有する撮像装置に搭載されたコンピュータによって実行される撮影条件設定用のプログラムであって、前記コンピュータに、撮影条件として設定可能な数値範囲を特定の表示形態で表した設定画面を表示する機能と、前記設定画面上の任意の位置を指定する機能と、前記指定された位置に対応した撮影条件の設定値を有するサンプル画像を前記メモリから読み出して前記設定画面上に表示する機能と、前記設定画面上の前記指定位置に基づいて撮影条件を設定する機能とを実現させることを特徴とする。
【発明の効果】
【００２８】
本発明によれば、絞りやシャッタスピードなどの撮影条件を設定するための設定画面上に予め用意された各シーンのサンプル画像をその撮影条件の設定値に対応した位置に表示するようにしたことで、これらのサンプル画像を参考にして当該設定画面上にて意図する撮影条件を誰もが簡単に設定することができる。
【００２９】
また、前記サンプル画像とは別に、設定画面上の指定位置に対応した撮影条件で撮影した場合のプレビュー画像を表示することで、現在の設定内容でどのように撮影されるのかを事前に確認することができる。これにより、専門的な知識がなくとも、意図する撮影画像が得られるように撮影条件を的確に設定して撮影を行うことができることができるようになる。
【発明を実施するための最良の形態】
【００３０】
以下、図面を参照して本発明の実施形態を説明する。
【００３１】
（第１の実施形態）
図１は本発明の第１の実施形態における撮像装置としてデジタルカメラを例にした場合の外観構成を示すものであり、図１（ａ）が主に前面の、図１（ｂ）が主に背面の構成を示す斜視図である。
【００３２】
このデジタルカメラ１は、略矩形の薄板状ボディの前面に、撮影レンズ２、セルフタイマランプ３、光学ファインダ窓４、マイクロホン部５、ストロボ発光部６、及びラバーグリップ７を配設し、上面の（ユーザにとって）右端側には電源キー８及びシャッタキー９を配する。
【００３３】
ラバーグリップ７は、ユーザが撮影時にデジタルカメラ１を右手で筐体右側面側から把持した場合に右手中指、薬指、及び小指が確実に該筐体を把持できるように配設されたゴム製の帯状突起である。
【００３４】
また、電源キー８は、電源のオン／オフ毎に操作するためのキーである。シャッタキー９は、撮影タイミングを指示するためのキーである。
【００３５】
また、デジタルカメラ１の背面には、モードスイッチ（ＳＷ）１０、スピーカ部１１、メニューキー１２、十字キー１３、セットキー１４、光学ファインダ１５、ストロボチャージランプ１６、表示部１７が設けられていると共に、本発明に関わる操作キーとして撮影条件設定キー１８が設けられている。
【００３６】
モードスイッチ１０は、例えばスライドキースイッチにより構成され、基本モードである記録モード「Ｒ」と再生モード「Ｐ」を切り換えるためのものである。前記記録モード「Ｒ」には、静止画モード「Ｒ１」、動画モード「Ｒ２」が含まれる。静止画モード「Ｒ１」は静止画の撮影を行うためのモード、動画モード「Ｒ２」は動画の撮影を行うためのモードである。
【００３７】
前記シャッタキー９は、これらのモード「Ｒ１」、「Ｒ２」に共通に使用される。すなわち、静止画モード「Ｒ１」では、シャッタキー９が押下されたときのタイミングで静止画の撮影が行われる。動画モード「Ｒ２」では、シャッタキー９が押下されたときのタイミングで動画の撮影が開始され、シャッタキー９が再度押下されたときにその動画の撮影が終了する。
【００３８】
メニューキー１２は、各種メニュー項目等を選択させる際に操作する。十字キー１３は、上下左右各方向へのカーソル移動用のキーが一体に形成されたものであり、表示されているメニュー項目等を移動させる際に操作する。セットキー１４は、前記十字キー１３の中心位置に配置され、その時点で選択されているメニュー項目内容等を設定するために操作する。
【００３９】
ストロボチャージランプ１６は、光学ファインダ１５に近接して配設されたＬＥＤランプでなり、このデジタルカメラ１のユーザが光学ファインダ１５を覗いている場合と表示部１７を見ている場合のいずれであってもストロボのチャージ状態等をユーザに視認させる。
【００４０】
表示部１７は、バックライト付きのカラー液晶パネルで構成されるもので、撮影時には電子ファインダとしてスルー画像のモニタ表示を行う一方で、再生時には再生対象として選択された画像等を表示する。
【００４１】
また、撮影条件設定キー１８は、撮影時におけるシャッタスピードや絞り値などの撮影条件を設定するための操作キーである。撮影時に、この撮影条件設定キー１８の押下操作により、後述する撮影条件設定画面５１（図３）が表示部１７に表示され、その撮影条件設定画面５１上で撮影条件を任意に設定することができる。
【００４２】
なお、図示はしないがデジタルカメラ１の底面には、記録媒体として用いられるメモリカードを着脱するためのメモリカードスロットや、外部のパーソナルコンピュータ等と接続するためのシリアルインタフェースコネクタとして、例えばＵＳＢ（Ｕｎｉｖｅｒｓａｌ  Ｓｅｒｉａｌ  Ｂｕｓ）コネクタ等が設けられる。
【００４３】
図２はデジタルカメラ１の電子回路構成を示すブロック図である。
【００４４】
このデジタルカメラ１には、前記撮影レンズ２を構成するレンズ光学系２２がモータ２１の駆動により光軸方向に所定の範囲内で移動可能に設けられており、その光軸後方に撮像素子であるＣＣＤ２３が配設されている。このＣＣＤ２３は、撮影レンズ２を通過する光を受光し、その受光量に応じた画像データを取得する。
【００４５】
基本モードである記録モード時において、ＣＣＤ２３がタイミング発生器（ＴＧ）２４、垂直ドライバ２５によって走査駆動され、一定周期毎に結像した光像に対応する光電変換出力を１画面分出力する。
【００４６】
このＣＣＤ２３の光電変換出力は、アナログ値の信号の状態でＲＧＢの各原色成分毎に適宜ゲイン調整された後に、サンプルホールド回路２６でサンプルホールドされ、Ａ／Ｄ変換器２７でデジタルデータに変換される。そして、カラープロセス回路２８において、画素補間処理及びγ補正処理を含むカラープロセス処理が行われて、デジタル値の輝度信号Ｙ及び色差信号Ｃｂ，Ｃｒが生成され、ＤＭＡ（Ｄｉｒｅｃｔ  Ｍｅｍｏｒｙ  Ａｃｃｅｓｓ）コントローラ２９に出力される。
【００４７】
ＤＭＡコントローラ２９は、カラープロセス回路２８の出力する輝度信号Ｙ及び色差信号Ｃｂ，Ｃｒを、同じくカラープロセス回路２８からの複合同期信号、メモリ書込みイネーブル信号、及びクロック信号を用いて一度ＤＭＡコントローラ２９内部のバッファに書込み、ＤＲＡＭインタフェース（Ｉ／Ｆ）３０を介してバッファメモリとして使用されるＤＲＡＭ３１にＤＭＡ転送を行う。
【００４８】
制御部３２は、ＣＰＵと、このＣＰＵで実行される動作プログラムを記憶したＲＯＭ、及びワークメモリとして使用されるＲＡＭなどを含むマイクロコンピュータにより構成される。この制御部３２は、デジタルカメラ１全体の制御動作を司り、前記輝度及び色差信号のＤＲＡＭ３１へのＤＭＡ転送終了後に、この輝度及び色差信号をＤＲＡＭインタフェース３０を介してＤＲＡＭ３１より読出し、ＶＲＡＭコントローラ３３を介してＶＲＡＭ３４に書込む。
【００４９】
デジタルビデオエンコーダ３５は、前記輝度及び色差信号をＶＲＡＭコントローラ３３を介してＶＲＡＭ３４より定期的に読出し、これらのデータを元にビデオ信号を発生して表示部１７に出力する。
【００５０】
この表示部１７は、上述した如く撮影時にはモニタ表示部（電子ファインダ）として機能するもので、デジタルビデオエンコーダ３５からのビデオ信号に基づいた表示を行うことで、その時点でＶＲＡＭコントローラ３３から取込んでいる画像情報に基づく画像をリアルタイムに表示することとなる。
【００５１】
このように、表示部１７にその時点での画像がモニタ画像としてリアルタイムに表示されている状態で、例えば静止画撮影を行いたいタイミングでシャッタキー９を押下操作すると、トリガ信号が発生する。
【００５２】
制御部３２は、このトリガ信号に応じて、その時点でＣＣＤ２３から取込んでいる１画面分の輝度及び色差信号のＤＲＡＭ３１へのＤＭＡ転送の終了後、直ちにＣＣＤ２３からのＤＲＡＭ３１への経路を停止し、記録保存の状態に遷移する。
【００５３】
この記録保存の状態では、制御部３２がＤＲＡＭ３１に書込まれている１フレーム分の輝度及び色差信号をＤＲＡＭインタフェース３０を介してＹ，Ｃｂ，Ｃｒの各コンポーネント毎に縦８画素×横８画素の基本ブロックと呼称される単位で読み出して、画像処理部３７の内部に存在するＪＰＥＧ（Ｊｏｉｎｔ  Ｐｈｏｔｏｇｒａｐｈ  ｃｏｄｉｎｇ  Ｅｘｐｅｒｔｓ  Ｇｒｏｕｐ）処理ブロックに書込み、この画像処理部３７でＡＤＣＴ（Ａｄａｐｔｉｖｅ  Ｄｉｓｃｒｅｔｅ  Ｃｏｓｉｎｅ  Ｔｒａｎｓｆｏｒｍ：適応離散コサイン変換）、エントロピ符号化方式であるハフマン符号化等の処理によりデータ圧縮する。
【００５４】
そして、得た符号データを１画像のデータファイルとして該画像処理部３７から読出して記録用のメモリ３８に書き込む。このメモリ３８としては、予め本体に内蔵されたメモリの他に、記録媒体として着脱自在に装着されるメモリカードなどを含む。１フレーム分の輝度及び色差信号の圧縮処理及びメモリ３８への全圧縮データの書込み終了に伴なって、制御部３２はＣＣＤ２３からＤＲＡＭ３１への経路を再び起動する。
【００５５】
また、制御部３２には、さらにＵＳＢインタフェース（Ｉ／Ｆ）３９、ストロボ駆動部４０が接続される。
【００５６】
ＵＳＢインタフェース３９は、ＵＳＢコネクタを介して有線接続されるパーソナルコンピュータ等の他の情報端末装置との間で画像データその他の送受を行う場合の通信制御を行う。ストロボ駆動部４０は、撮影時時図示せぬストロボ用の大容量コンデンサを充電した上で、制御部３２からの制御に基づいて前記ストロボ発光部６を閃光駆動する。
【００５７】
なお、前記キー入力部３６は、上述したシャッタキー９の他に、前記電源キー８、モードスイッチ１０、メニューキー１２、十字キー１３、セットキー１４及び撮影条件設定キー１８などから構成され、それらのキー操作に伴なう信号は直接制御部３２へ送出される。
【００５８】
また、静止画像ではなく動画像の撮影時においては、シャッタキー９が押下操作されたときに、上述した画像処理部３７の内部に存在する動画処理ブロックで、ＭＰＥＧ（Ｍｏｖｉｎｇ  Ｐｉｃｔｕｒｅ  Ｅｘｐｅｒｔ  Ｇｒｏｕｐ）やｍｏｔｉｏｎ−ＪＰＥＧなどの手法により撮影動画をデータ圧縮し、この撮影動画データをメモリ３８へ記録する。そして、再度シャッタキー９が操作されると、動画データの記録を終了する。
【００５９】
一方、基本モードである再生モード時には、制御部３２がメモリ３８に記録されている画像データを選択的に読出し、画像処理部３７で記録モード時にデータ圧縮した手順と全く逆の手順で圧縮されている画像データを伸長する。そして、この伸長した画像データをＤＲＡＭインタフェース３０を介してＤＲＡＭ３１に保持させた上で、このＤＲＡＭ３１の保持内容をＶＲＡＭコントローラ３３を介してＶＲＡＭ３４に記憶させ、このＶＲＡＭ３４より定期的に画像データを読出してビデオ信号を発生し、表示部１７で再生出力させる。
【００６０】
選択した画像データが静止画像ではなく動画像であった場合には、その選択した動画像ファイルを構成するＭＰＥＧ動画データの再生を実行し、すべての動画像データの再生を終了した時点で、例えば、次に再生の指示がなされるまで先頭に位置する静止画像データを表示するなどを行う。
【００６１】
この他に、ＣＤ−ＲＯＭ４２と、そのＣＤ−ＲＯＭ４２にて提供される各種データを読み込むためのＣＤ−ＲＯＭドライバ４１が備えられていると共に、特に図示しないが、例えば携帯時の電源として用いられるバッテリとそのバッテリの電圧供給制御部や、マイク５およびスピーカ１１に対する音声データの処理を行うための音声処理部などが備えられている。
【００６２】
ここで、本実施形態では、例えば「花火を撮影する場合」、「人物を撮影する場合」、「花を接写する場合」、「夕日を撮影する場合」など、予め決められた複数のシーンに対して、これらのシーンを撮影する場合の最適な露出値に対応するシャッタスピードや絞り値などの撮影条件の設定値が各シーンのサンプル画像と共にベストショットデータとして、制御部３２内のＲＯＭなどに設けられたベストショット記憶部３２ａに記憶されている。
【００６３】
なお、前記ベストショットデータはシーンプログラムデータなどとも呼ばれ、予めデジタルカメラ１内に内蔵されているものの他に、例えばＣＤ−ＲＯＭ４２などの記録媒体や、インターネット等を通信媒体を介して外部から提供することも可能である。
【００６４】
図３は同実施形態における撮影条件設定画面の一例を示す図であり、撮影条件としてシャッタスピードと絞りを二次元座標軸上で設定する場合が示されている。
【００６５】
撮影時に撮影条件設定キー１８を押下すると、図３に示すような撮影条件設定画面５１が表示部１７に表示される。この撮影条件設定画面５１は、画面のＸ軸方向にシャッタ値として設定可能な数値範囲、Ｙ軸方向に絞り値として設定可能な数値範囲を表した二次元のマトリクス図５２を有し、そのマトリクス図５２上で任意の位置をカーソル５４で指定することで、撮影時におけるシャッタスピードと絞りのパラメータ値を相対的に設定できるように構成されている。
【００６６】
また、このマトリクス図５２上には、ベストショットデータとして予め用意された各シーンのサンプル画像５３ａ、５３ｂ、５３ｃ…がそれぞれの設定値に対応した位置に表示される。これにより、シャッタスピードと絞りを設定する際に、サンプル画像５３ａ、５３ｂ、５３ｃ…の表示位置から、どのようなシーンにどのような値が適しているのかを一目で判断することができる。
【００６７】
なお、図３では、図面サイズの都合上、サンプル画像５３ａ、５３ｂ、５３ｃ…を四角枠のハッチィングで示しているが、実際には図４に示すように各シーンを代表する具体的な画像（カラー写真）が表示される。
【００６８】
図４は各シーンのサンプル画像の一例を示す図であり、図４（ａ）は「花火を撮影する場合」に参照されるサンプル画像、同図（ｂ）は「人物を撮影する場合」に参照されるサンプル画像、同図（ｃ）は「花を撮影する場合」に参照されるサンプル画像、同図（ｄ）は「夕日を撮影する場合」に参照されるサンプル画像の一例を表している。
【００６９】
また、図５はデジタルカメラ１の表示部１７に表示された撮影条件設定画面５１上の位置を指定する方法を説明するための図である。位置指定方法としては、例えば図５（ａ）に示すように、表示部１７に透明のタッチパネルを配置し、ユーザがペン５５を用いて指定した位置を静電式または感圧式などの所定の方式にて検知する方法の他、同図（ｂ）に示すように、十字キー１３の操作によりカーソル５４を上下左右に移動させて位置を指定する方法、さらに、同図（ｃ）に示すように、トラックパッド５６や図示せぬ外付けマウスなどを用いて位置を指定する方法がある。
【００７０】
以下に、第１の実施形態の動作を説明する。
【００７１】
図６は本発明の第１の実施形態におけるデジタルカメラ１の撮影時の処理動作を示すフローチャートであり、撮影条件として絞りとシャッタースピードを設定して撮影を行う場合の処理手順が示されている。なお、ここでは静止画の撮影を前提としているが、動画の撮影でも同様に適用可能である。
【００７２】
また、この図６を含む各フローチャートで示される処理は、デジタルカメラ１に搭載されたマイクロプロセッサである制御部３２がＲＯＭ等に記憶されたプログラムを読み込むことにより実行される。後述する他の実施形態の処理についても同様であり、制御部３２がこれらの処理を実現するためのプログラムを読み込むことで実行される。
【００７３】
今、ユーザが撮影シーンに合わせて絞りとシャッタスピードを任意に設定して撮影を行う場合を想定する。まず、ユーザにより撮影条件設定キー１８が押下操作されると、制御部３２は、図３に示すように、Ｘ軸にシャッタ値、Ｙ軸に絞りのパラメータ値を表した二次元のマトリクス図５２を有する撮影条件設定画面５１を表示部１７に表示する（ステップＡ１１）。
【００７４】
続いて、制御部３２は、ベストショット記憶部３２ａに記憶された各ベストショットの設定データを読み込むことにより（ステップＡ１２）、マトリクス図５２上の各ベストショットの設定値に対応した位置に各シーンのサンプル画像５３ａ、５３ｂ、５３ｃ…を表示する（ステップＡ１３）。
【００７５】
また、制御部３２は、マトリクス図５２上のカーソル５４の初期位置（デフォルト）を決定し（ステップＡ１４）、その決定された位置にカーソル５４を表示する（ステップＡ１５）。なお、前記ステップＡ１４でのカーソル初期位置を決定する方法としては、具体的には、例えば前回の撮影モードで設定された位置に表示する方法や、予め決められた位置（例えば画面中央位置）に表示する方法、ユーザによって指定された位置に表示する方法などがある。
【００７６】
ここで、ユーザが所定の操作方法（図５（ａ）〜（ｃ）参照）によりカーソル５４の位置を移動させると（ステップＡ１７〜１８）、制御部３２は、そのカーソル位置の移動に伴い表示変更処理を行う（ステップＡ１９）。その表示変更処理として、次のような２通りの方法がある。
【００７７】
図７は前記ステップＡ１９で実行される表示変更処理（１）を示すフローチャートである。表示変更を行う場合の第１の方法として、マトリクス図５２の二次元座標軸上でユーザにより移動指定されたカーソル位置を検出し（ステップＣ１１）、そこにカーソル５４を表示する（ステップＣ１２）。
【００７８】
このような方法によれば、例えば図３のＰ１に示すように、サンプル画像５３ａ、５３ｂ、５３ｃ…の表示位置に関係なく、ユーザがカーソル５４を自由に移動させて、その位置で絞りとシャッタスピードを設定することができる。この場合、近くにあるサンプル画像を参照することで、どのような設定になるのか、また、その設定がどういうシーンに適しているのかなど、視覚的に判断することができる。
【００７９】
図８は前記ステップＡ１９で実行される表示変更処理（２）を示すフローチャートである。表示変更を行う場合の第２の方法として、マトリクス図５２の二次元座標軸上でユーザにより移動指定されたカーソル位置を検出した際に（ステップＤ１１）、ベストショットとして登録されている設定値のうち、当該カーソル位置に最も近い値を有するサンプル画像の表示位置を検出し（ステップＤ１２）、そこにカーソル５４を表示する（ステップＤ１３）。
【００８０】
このような方法によれば、例えば図３のＰ２に示すように、サンプル画像５３ａ、５３ｂ、５３ｃ…の表示位置に合わせてカーソル５４が移動することになる。この場合、ベストショットとして登録されている各シーンのサンプル画像５３ａ、５３ｂ、５３ｃ…の表示位置の値でしか絞りとシャッタスピードを設定することができないが、各ベストショット毎に絞り／シャッタスピードを変えた場合の効果が視覚的に判りやすいといった利点がある。
【００８１】
図６に戻って、ユーザが意図する絞りとシャッタスピードの位置にカーソル５４を移動させた後、例えば撮影条件設定画面５１上に設けられる図示せぬ「決定ボタン」を押下するなど、所定の操作により決定操作を行うと（ステップＡ１６のＹｅｓ）、制御部３２は、現在のカーソル位置に対応した絞りとシャッタスピードの値を読み込み、これを撮影時の撮影条件として本装置の該当する機能に設定する（ステップＡ２０）。この場合、上述したように、図７の方法では、現在のカーソル位置における絞りとシャッタスピードの値がそのまま撮影条件として設定されることになり、図７の方法では、現在のカーソル位置に最も近いベストショットの絞りとシャッタスピードの値が撮影条件として設定されることになる。
【００８２】
そして、この状態でシャッタキー９が押下操作されると（ステップＡ２１のＹｅｓ）、制御部３２は、前記設定した絞りとシャッタスピードの値で本装置を駆動制御して、被写体の撮影処理を行う（ステップＡ２２）。なお、撮影処理の具体的な処理動作については、既に図２で説明しているため、ここでは省略するものとする。撮影によって得られた画像は、所定の方式で圧縮されてメモり３８に記録される（ステップＡ２３）。
【００８３】
以下同様にして、撮影条件設定画面５１のマトリクス図５２上で絞りとシャッタスピードを任意に設定しながら撮影を行うことができ、所定の操作により撮影モードを終了すると（ステップＡ２４のＹｅｓ）、ここでの一連の処理が終了する。
【００８４】
このように、撮影を行う場合において、撮影条件設定画面５１に設けられた二次元のマトリクス図５２を用いて、そのマトリクス図５２上に各設定値に対応した位置に表示された各シーンのサンプル画像５３ａ、５３ｂ、５３ｃ…を参考にして、ユーザの意図する絞りとシャッタスピードの値を簡単に設定することができる。
【００８５】
この場合、各シーンの最適値がどのような値になるのかをマトリクス図５２上に表示されたサンプル画像５３ａ、５３ｂ、５３ｃ…から判断することができるため、カメラの専門知識がないユーザであっても、現在撮影対象としているシーンに合わせた絞りとシャッタスピードを迅速に設定して撮影を行うこうとができる。
【００８６】
なお、前記図６に示した処理では、カーソル５４の移動操作後、「決定ボタン」の押下などの所定の決定操作を行うことで、現在のカーソル位置に応じた絞りとシャッタスピードを設定するものとして説明したが（ステップＡ１６→Ａ２０参照）、前記決定操作の処理をなくして、カーソル５４の移動操作後、シャッタキー９が押下されたときに、現在のカーソル位置に応じた絞りとシャッタスピードを設定して撮影処理を行うような構成であっても良い。このようにすれば、その都度、決定操作を必要としない分、直ぐに撮影を行うことができるといった利点がある。
【００８７】
また、図９に示すように、撮影条件設定画面５１の中に別の子画面５１ａを設けておき、ユーザがマトリクス図５２上の任意の位置をカーソル５４により指定した際に、その指定された位置に対応した絞りとシャッタスピードで実際に撮影した場合のプレビュー画像ＰＲを前記子画面５１ａに拡大表示したり、さらに、図１０に示すように、カーソル５４の移動に伴い、前記子画面５１ａに表示たされプレビュー画像ＰＲに対する絞りとシャッタスピードも徐々に変更するといった処理を前記図６の表示変更処理（ステップＡ１９）に加えるようにしても良い。
【００８８】
このように、プレビュー画像ＰＲを指定位置に応じた表示する構成とすれば、現在の設定内容でどのように撮影されるのかを事前に確認することができ、専門的な知識がなくとも、意図する撮影画像が得られるように撮影条件を的確に設定して撮影を行うことができることができるようになる。
【００８９】
また、別の方法として、図１１に示すように、マトリクス図５２上には各シーンのサンプル画像５３ａ、５３ｂ、５３ｃ…は表示せず、ユーザがマトリクス図５２上の任意の位置をカーソル５４により指定した際に、その指定された位置に対応した絞りとシャッタスピードで実際に撮影した場合のプレビュー画像ＰＲを前記子画面５１ａに拡大表示したり、図１２に示すように、ユーザがマトリクス図５２上の任意の位置をカーソル５４により指定した際に、その指定された位置に対応した絞りとシャッタスピードを有するサンプル画像ＳＡを前記子画面５１ａに拡大表示するような処理を行うようにしても良い。
【００９０】
具体的な処理手順としては、前記図６のフローチャートにおいて、サンプル画像の表示処理（ステップＡ１３）をなくし、表示変更処理（ステップＡ１９）にて、カーソル移動表示と共に前記のようなプレビュー画像やサンプル画像の子画面表示を行うことで実現できる。
【００９１】
また、前記のような子画面５１ａを設けずに、ユーザがマトリクス図５２上で指定した位置に、プレビュー画像やサンプル画像を拡大して表示することでも良い。
【００９２】
また、撮影条件設定画面５１の中にシャッタキーの選択ボタンを設けておけば、絞りとシャッタスピードの設定操作と共にシャッタキーの操作を同じ画面上で続けて行うことができて便利である。
【００９３】
さらに、前記第１の実施形態では、絞りとシャッタスピードの各パラメータ値を二次元で表すようにしたが、これに例えばホワイトバランスを加えて三次元表示を行い、絞りとシャッタスピード、そして、ホワイトバランスの３要素を同時に設定するような構成も可能である。
【００９４】
（第２の実施形態）
次に、本発明の第２の実施形態について説明する。
【００９５】
前記第１の実施形態では、絞りとシャッタスピードを二次元の座標軸上で設定するようにようにしたが、第２の実施形態では、これらの設定を一次元の座標軸上で設定することを特徴とするものである。
【００９６】
図１３は本発明の第２の実施形態における撮影条件設定画面の一例を示す図であり、撮影条件としてシャッタスピードを一次元座標軸上で設定する場合が示されている。
【００９７】
撮影時に撮影条件設定キー１８を押下すると、例えば図示せぬ設定項目メニュー画面が表示され、その設定項目メニュー画面の中で「シャッタスピード設定」を選択することで、図１３に示すようなシャッタスピード設定画面６１が表示部１７に表示される。このシャッタスピード設定画面６１は、画面のＸ軸方向にシャッタ値として設定可能な数値範囲を表した一次元のスライドバー６２を有し、そのスライドバー６２上で任意の位置をカーソル６４で指定することで、撮影時におけるシャッタスピードのパラメータ値を設定するように構成されている。
【００９８】
また、このスライドバー６２上には、ベストショットデータとして予め用意された各シーンのサンプル画像６３ａ、６３ｂ、６３ｃ…がそれぞれの設定値に対応した位置に表示される。これにより、シャッタスピードを設定する際に、サンプル画像６３ａ、６３ｂ、６３ｃ…の表示位置から、どのようなシーンにどのような値が適しているのかを一目で判断することができる。
【００９９】
なお、図１３では、図面サイズの都合上、サンプル画像６３ａ、６３ｂ、６３ｃ…を四角枠のハッチィングで示しているが、実際には図４に示すように各シーンを代表する具体的な画像（カラー写真）が表示される。
【０１００】
図１４は本発明の第２の実施形態における撮影条件設定画面の一例を示す図であり、撮影条件として絞りを一次元座標軸上で設定するための画面が示されている。
【０１０１】
撮影時に撮影条件設定キー１８を押下すると、例えば図示せぬ設定項目メニュー画面が表示され、その設定項目メニュー画面の中で「絞り設定」を選択することで、図１４に示すような絞り設定画面７１が表示部１７に表示される。この絞り設定画面７１は、画面のＸ軸方向に絞り値として設定可能な数値範囲を表した一次元のスライドバー７２を有し、そのスライドバー７２上で任意の位置をカーソル７４で指定することで、撮影時における絞りのパラメータ値を設定するように構成されている。
【０１０２】
また、このスライドバー７２上には、ベストショットデータとして予め用意された各シーンのサンプル画像７３ａ、７３ｂ、７３ｃ…がそれぞれの設定値に対応した位置に表示される。これにより、絞りを設定する際に、サンプル画像７３ａ、７３ｂ、７３ｃ…の表示位置から、どのようなシーンにどのような値が適しているのかを一目で判断することができる。
【０１０３】
なお、図１４では、前記図１３と同様に、図面サイズの都合上、サンプル画像７３ａ、７３ｂ、７３ｃ…を四角枠のハッチィングで示しているが、実際には図４に示すように各シーンを代表する具体的な画像（カラー写真）が表示される。
【０１０４】
また、ここではシャッタスピードと絞りをそれぞれに個別の設定画面６１、７１で設定する場合の画面構成を示したず、両方の設定画面を合わせて１つの画面上でシャッタスピードと絞りを設定するような構成も可能である。
【０１０５】
以下では、説明を簡単にするため、シャッタスピードと絞りをそれぞれに個別の設定画面６１、７１で設定する場合を想定して説明する。
【０１０６】
図１５は本発明の第２の実施形態におけるデジタルカメラ１の撮影時の処理動作を示すフローチャートであり、撮影条件としてシャッタスピードを設定して撮影を行う場合の処理手順が示されている。基本的な処理の流れは、前記第１の実施形態における図６の処理と同様である。
【０１０７】
すなわち、まず、ユーザにより撮影条件設定キー１８が押下操作して「シャッタスピード」の設定を指定すると、制御部３２は、図１３に示すように、Ｘ軸にシャッタスピードパラメータ値を表した一次元のスライドバー６２を有するシャッタスピード設定画面６１を表示部１７に表示する（ステップＥ１１）。
【０１０８】
続いて、制御部３２は、ベストショット記憶部３２ａに記憶された各ベストショットの設定データを読み込むことにより（ステップＥ１２）、スライドバー６２上の各ベストショットの設定値に対応した位置に各シーンのサンプル画像６３ａ、６３ｂ、６３ｃ…を表示する（ステップＥ１３）。
【０１０９】
また、制御部３２は、スライドバー６２上のカーソル６４の初期位置（デフォルト）を決定し（ステップＥ１４）、その決定された位置にカーソル６４を表示する（ステップＥ１５）。なお、カーソル初期位置を決定する方法としては、上述したように、例えば前回の撮影モードで設定された位置に表示する方法や、予め決められた位置（例えば画面中央位置）に表示する方法、ユーザによって指定された位置に表示する方法などがある。
【０１１０】
ここで、ユーザが所定の操作方法（図５（ａ）〜（ｃ）参照）によりカーソル６４の位置を移動させると（ステップＥ１７〜１８）、制御部３２は、そのカーソル位置の移動に伴い表示変更処理を行う（ステップＥ１９）。その表示変更処理として、前記図７および図８と同様に２通りの方法がある。
【０１１１】
すなわち、第１の方法として、スライドバー６２の一次元座標座標軸の中で、ユーザにより移動指定されたカーソル位置を検出し、そこにカーソル６４を表示する。また、第２の方法として、スライドバー６２の一次元座標軸上の中で、ユーザにより移動指定されたカーソル位置を検出した際に、ベストショットとして登録されている設定値のうち、当該カーソル位置に最も近い値を有するサンプル画像の表示位置を検出し、そこにカーソル６４を表示する。
【０１１２】
ユーザが意図するシャッタスピードの位置にカーソル６４を移動させた後、例えばシャッタスピード設定画面６１上に設けられる図示せぬ「決定ボタン」を押下するなど、所定の操作により決定操作を行うと（ステップＥ１６のＹｅｓ）、制御部３２は、現在のカーソル位置に対応したシャッタスピードの値を読み込み、これを撮影時の撮影条件として本装置の該当する機能に設定する（ステップＥ２０）。この場合、上述したように、前記第１の方法では、現在のカーソル位置におけるシャッタスピードの値がそのまま撮影条件として設定されることになり、前記第２の方法では、現在のカーソル位置に最も近いベストショットのシャッタスピードの値が撮影条件として設定されることになる。
【０１１３】
そして、この状態でシャッタキー９が押下操作されると（ステップＥ２１のＹｅｓ）、制御部３２は、前記設定したシャッタスピードの値で本装置を駆動制御して、被写体の撮影処理を行う（ステップＥ２２）。なお、撮影処理の具体的な処理動作については、既に図２で説明しているため、ここでは省略するものとする。撮影によって得られた画像は、所定の方式で圧縮されてメモり３８に記録される（ステップＥ２３）。
【０１１４】
以下同様にして、シャッタスピード設定画面６１のスライドバー６２上でシャッタスピードを任意に設定しながら撮影を行うことができ、所定の操作により撮影モードを終了すると（ステップＥ２４のＹｅｓ）、ここでの一連の処理が終了する。
【０１１５】
このように、撮影を行う場合において、シャッタスピード設定画面６１に設けられた一次元のスライドバー６２を用いて、そのスライドバー６２上の各設定値に対応した位置に表示された各シーンのサンプル画像６３ａ、６３ｂ、６３ｃ…を参考にして、ユーザの意図するシャッタスピードの値を簡単に設定することができる。
【０１１６】
この場合、前記第１の実施形態と同様に、各シーンの最適値がどのような値になるのかをスライドバー６２上に表示されたサンプル画像６３ａ、６３ｂ、６３ｃ…から判断することができるため、カメラの専門知識がないユーザであっても、現在撮影対象としているシーンに合わせたシャッタスピードを迅速に設定して撮影を行うこうとができる。
【０１１７】
なお、ここではシャッタスピードを設定する場合について説明したが、絞りを設定する場合についても同様であり、図１４に示した絞り設定画面７１に設けられた一次元のスライドバー７２を用いて、そのスライドバー７２上の各設定値に対応した位置に表示された各シーンのサンプル画像７３ａ、７３ｂ、７３ｃ…を参考にして、ユーザの意図する絞りの値を簡単に設定することができる。
【０１１８】
また、前記図１５の処理において、例えば「決定ボタン」の押下などの決定操作を行うことなしに、シャッタキー９が押下されたときに、現在のカーソル位置に応じた絞りやシャッタスピードを設定して撮影処理を行うことも可能である。
【０１１９】
また、前記図９〜図１２で説明したように、この第２の実施形態においても、設定画面中に別の子画面を設けておき、その子画面にプレビュー画像を拡大表示したり、サンプル画像を拡大表示する処理を行うことや、ユーザの指定位置にプレビュー画像やサンプル画像を拡大して表示する処理を行うことでも良い。
【０１２０】
さらに、前記第１および第２の実施形態では、撮影条件の設定項目として、絞りとシャッタースピードを例にして説明したが、この他にも、例えばホワイトバランス、シャープネス、コントラストも、彩度、ＥＶシフト、ＡＦの焦点距離、色強調など、撮影に関する様々な設定項目に対し、本発明の設定手法を適用することが可能である。
【０１２１】
また、本発明は、デジタルカメラに限らず、例えばカメラ付きのＰＤＡ（Personal Digital Assistant）や携帯電話など、撮像機能を有する電子機器において、上述したような撮影条件を設定する場合に適用可能である。
【０１２２】
要するに、本発明は前記各実施形態に限定されるものではなく、実施段階ではその要旨を逸脱しない範囲で種々に変形することが可能である。更に、前記各実施形態には種々の段階の発明が含まれており、開示される複数の構成要件における適宜な組み合わせにより種々の発明が抽出され得る。例えば、実施形態で示される全構成要件から幾つかの構成要件が削除されても、「発明が解決しようとする課題」で述べた効果が解決でき、「発明の効果」の欄で述べられている効果が得られる場合には、この構成要件が削除された構成が発明として抽出され得る。
【０１２３】
また、上述した各実施形態において記載した手法は、コンピュータに実行させることのできるプログラムとして、例えば磁気ディスク（フレキシブルディスク、ハードディスク等）、光ディスク（ＣＤ−ＲＯＭ、ＤＶＤ等）、半導体メモリなどの記録媒体に書き込んで各種装置に適用したり、そのプログラム自体をネットワーク等の伝送媒体により伝送して各種装置に適用することも可能である。本装置を実現するコンピュータは、記録媒体に記録されたプログラムあるいは伝送媒体を介して提供されたプログラムを読み込み、このプログラムによって動作が制御されることにより、上述した処理を実行する。
【０１２４】
また、前述したＣＤ−ＲＯＭやＤＶＤ−ＲＯＭ等の記録媒体の他にも、例えば、Ｂｌｕ−ｒａｙ  Ｄｉｓｃ（Ｒ）やＡＯＤ(Advanced Optical Disc)などの青色レーザを用いた次世代光ディスク、赤色レーザを用いるＨＤ−ＤＶＤ９、青紫色レーザを用いるＢｌｕｅ  Ｌａｓｅｒ  ＤＶＤなど、今後開発される種々の大容量記録媒体を用いて本発明を実施することが可能である。
【図面の簡単な説明】
【０１２５】
【図１】本発明の第１の実施形態における撮像装置としてデジタルカメラを例にした場合の外観構成を示す図。
【図２】同実施形態におけるデジタルカメラに備えられた電子回路の構成を示すブロック図。
【図３】同実施形態における撮影条件設定画面の一例を示す図であり、撮影条件としてシャッタスピードと絞りを二次元座標軸上で設定する場合の図。
【図４】同実施形態における各シーンのサンプル画像の一例を示す図。
【図５】同実施形態におけるデジタルカメラの表示部に表示された撮影条件設定画面上の位置を指定する方法を説明するための図。
【図６】同実施形態におけるデジタルカメラの撮影時の処理動作を示すフローチャート。
【図７】前記図６のステップＡ１９で実行される表示変更処理（１）を示すフローチャート。
【図８】前記図６のステップＡ１９で実行される表示変更処理（２）を示すフローチャート。
【図９】同実施形態における撮影条件設定画面の中に子画面を設けて、そこにカーソル位置に対応したプレビュー画像を表示する場合の例を示す図。
【図１０】前記図９のプレビュー画像をカーソル移動により変化させる場合の例を示す図。
【図１１】同実施形態における撮影条件設定画面の中に子画面を設けて、前記撮影条件設定画面にはマトリクス図のみを表示し、前記子画面にカーソル位置に対応したプレビュー画像を表示する場合の例を示す図。
【図１２】同実施形態における撮影条件設定画面の中に子画面を設けて、前記撮影条件設定画面にはマトリクス図のみを表示し、前記子画面にカーソル位置に対応したサンプル画像を表示する場合の例を示す図。
【図１３】本発明の第２の実施形態における撮影条件設定画面の一例を示す図であり、撮影条件としてシャッタスピードを一次元座標軸上で設定する場合の図。
【図１４】同実施形態における撮影条件設定画面の一例を示す図であり、撮影条件として絞りを一次元座標軸上で設定する場合の図。
【図１５】同実施形態におけるデジタルカメラの撮影時の処理動作を示すフローチャート。
【符号の説明】
【０１２６】
１…デジタルカメラ、２…撮影レンズ、３…セルフタイマランプ、４…光学ファインダ窓、５…マイクロホン部（ＭＩＣ）、６…ストロボ発光部、７…ラバーグリップ、８…電源キー、９…シャッタキー、１０…モードスイッチ（ＳＷ）、１１…スピーカ部（ＳＰ）、１２…メニューキー、１３…十字キー、１４…セットキー、１５…光学ファインダ、１６…ストロボチャージランプ、１７…表示部、１８…撮影条件設定キー、２１…モータ、２２…レンズ光学系、２３…ＣＣＤ、２４…タイミング発生器（ＴＧ）、２５…垂直ドライバ、２６…サンプルホールド回路（Ｓ／Ｈ）、２７…Ａ／Ｄ変換器、２８…カラープロセス回路、２９…ＤＭＡコントローラ、３０…ＤＲＡＭインタフェース（Ｉ／Ｆ）、３１…ＤＲＡＭ、３２…制御部、３２ａ…ベストショット記憶部、３３…ＶＲＡＭコントローラ、３４…ＶＲＡＭ、３５…デジタルビデオエンコーダ、３６…キー入力部、３７…画像処理部、３８…メモリ、３９…ＵＳＢインタフェース（Ｉ／Ｆ）、４０…ストロボ駆動部、４１…ＣＤ−ＲＯＭドライバ、４２…ＣＤ−ＲＯＭ、５１…撮影条件設定画面、５１ａ…子画面、５２…マトリクス図、５３ａ、５３ｂ、５３ｃ…サンプル画像、５４…カーソル、５５…ペン、５６…トラックパッド、６１…シャッタスピード設定画面、６２…スライドバー、６３ａ、６３ｂ、６３ｃ…サンプル画像、６４…カーソル、７１…絞り設定画面、７２…スライドバー、７３ａ、７３ｂ、７３ｃ…サンプル画像、７４…カーソル。
【図１】
2005229209.tif 000003
【図２】
2005229209.tif 000004
【図３】
2005229209.tif 000005
【図４】
2005229209.tif 000006
【図５】
2005229209.tif 000007
【図６】
2005229209.tif 000008
【図７】
2005229209.tif 000009
【図８】
2005229209.tif 000010
【図９】
2005229209.tif 000011
【図１０】
2005229209.tif 000012
【図１１】
2005229209.tif 000013
【図１２】
2005229209.tif 000014
【図１３】
2005229209.tif 000015
【図１４】
2005229209.tif 000016
【図１５】
2005229209.tif 000017